(57)【要約】【課題】補聴器を使用するユーザが印刷装置のエラーの発生を容易に認知できる印刷処理システム、印刷装置および方法を提供すること。【解決手段】本発明の印刷装置は、無線通信機能を備えており、印刷処理に関するエラーを検出すると、エラー通知対象の補聴器を判断し、当該エラー通知対象の補聴器に対し、エラー通知要求を無線通信によって送信する。本発明の印刷装置は、予め指定されたユーザまたは印刷処理の実行を指示したユーザをエラー通知対象のユーザとする。【選択図】図１
2016159546.tif 000002
【特許請求の範囲】
【請求項１】
無線通信機能を有する印刷装置であって、
印刷処理に関するエラーを検出するエラー検出手段と、
前記エラー検出手段が印刷処理に関するエラーを検出した場合に、エラー通知対象のユーザを特定するエラー通知対象特定手段と、
前記エラー通知対象のユーザの補聴器に対し、エラー通知要求を無線通信によって送信する送信手段と
を備える、印刷装置。
【請求項２】
前記エラー通知対象特定手段は、予め指定されたユーザをエラー通知対象のユーザとすることを特徴とする、請求項１に記載の印刷装置。
【請求項３】
前記エラー通知対象特定手段は、前記印刷処理の実行を指示したユーザをエラー通知対象のユーザとすることを特徴とする、請求項１に記載の印刷装置。
【請求項４】
前記エラー通知要求は、エラーの種類毎に指定された警告音の再生を要求することを特徴とする請求項１〜３のいずれか１項に記載の印刷装置。
【請求項５】
無線通信機能を有する印刷処理と、無線通信機能を有する補聴器と、情報処理装置とを有する印刷処理システムであって、
前記印刷処理は、
印刷処理に関するエラーを検出するエラー検出手段と、
前記エラー検出手段が印刷処理に関するエラーを検出した場合に、エラー通知対象のユーザを特定するエラー通知対象特定手段と、
前記エラー通知対象のユーザの補聴器に対し、エラー通知要求を無線通信によって送信する送信手段と、
を備え、
前記エラー通知対象のユーザの補聴器は、前記エラー通知要求を受信すると、前記エラー通知要求で指定された警告音を再生する、印刷処理システム。
【請求項６】
前記情報処理装置は、エラーの種類毎に警告音を指定することを特徴とする、請求項５に記載の印刷処理システム。
【請求項７】
無線通信機能を有する印刷装置が実行する方法であって、
印刷処理に関するエラーを検出するステップと、
印刷処理に関するエラーを検出した場合に、エラー通知対象のユーザを特定するステップと、
前記エラー通知対象のユーザの補聴器に対し、エラー通知要求を無線通信によって送信するステップと、
を含む、方法。
【請求項８】
前記エラー通知対象のユーザを特定するステップは、予め指定されたユーザをエラー通知対象のユーザとするステップを含む、請求項７に記載の方法。
【請求項９】
前記エラー通知対象のユーザを特定するステップは、前記印刷処理の実行を指示したユーザをエラー通知対象のユーザとするステップを含む、請求項７に記載の方法。
【請求項１０】
前記エラー通知要求は、エラーの種類毎に指定された警告音の再生を要求することを特徴とする請求項７〜９のいずれか１項に記載の方法。
【発明の詳細な説明】
【技術分野】
【０００１】
本発明は、印刷装置のエラー通知技術に関し、より詳細には、聴覚障害を有するユーザに対して印刷処理に関するエラーを通知する印刷処理システム、印刷装置および方法に関する。
【背景技術】
【０００２】
従来、プロダクションプリンティング向けの印刷装置やＭＦＰ等の印刷装置で印刷を行う場合、印刷処理の実行中に紙詰まりや用紙切れ、トナー切れ等のエラーが発生すると、ユーザにエラーを通知する印刷装置が開発されている。
【０００３】
このようなエラー通知を行う印刷装置の一例として、特許文献１は、印刷処理において異常が生じた場合にライトを点灯あるいは点滅させ、またはブザーを鳴らすことにより、ユーザにエラーの発生を通知する画像形成装置を開示する。
【発明の概要】
【発明が解決しようとする課題】
【０００４】
しかしながら、特許文献１が開示する画像形成装置では、エラーが生じた場合にライトを点灯あるいは点滅させるため、聴覚障害者のユーザが画像形成装置のライトをわざわざ確認しなければならないという問題があった。また、この画像形成装置では、エラーが生じた場合に警告音を発生させるため、聴覚障害者のユーザがエラーを認識できないという問題もあった。
【０００５】
本発明は上述した課題を解決するものであり、補聴器を使用するユーザが印刷装置のエラーの発生を容易に認知できる印刷処理システム、印刷装置および方法を提供することを目的とする。
【課題を解決するための手段】
【０００６】
本発明の印刷装置は、無線通信機能を備えており、印刷処理に関するエラーを検出すると、エラー通知対象の補聴器を特定し、当該エラー通知対象の補聴器に対し、エラー通知要求を無線通信によって送信する。
【発明の効果】
【０００７】
本発明の印刷装置は、上記構成要件を採用することにより、補聴器を使用するユーザが印刷装置のエラーの発生を容易に認知することができる。
【図面の簡単な説明】
【０００８】
【図１】本発明の印刷処理システムの一実施形態を示す図。
【図２】本発明の情報処理装置のハードウェア構成を示す図。
【図３】本発明の印刷装置および補聴器のハードウェア構成を示す図。
【図４】本発明の情報処理装置および印刷装置の機能構成の一実施形態を示す図。
【図５】印刷設定を行うＧＵＩの一実施形態を示す図。
【図６】本発明の印刷装置が実行する処理の一実施形態を示すフローチャート。
【図７】通知相手テーブルの一実施形態を示す図。
【図８】本発明の印刷装置が実行する処理の別の実施形態を示すフローチャート。
【図９】通知相手テーブルの別の実施形態を示す図。
【発明を実施するための形態】
【０００９】
図１は、本発明の印刷処理システムの一実施形態を示す図である。印刷処理システム１００は、印刷装置１１０，１２０と、情報処理装置１３０と、補聴器１４０ａ，１４０ｂとを含む。印刷装置１１０，１２０および情報処理装置１３０は、有線ＬＡＮや無線ＬＡＮ等のＬＡＮで構成されるネットワーク１５０を介して通信可能に接続される。
【００１０】
印刷装置１１０，１２０は、情報処理装置１３０が送信する印刷ジョブに基づいて印刷を行う装置である。印刷装置１１０，１２０は、Ｂｌｕｅｔｏｏｔｈ（登録商標）等の無線通信機能を有しており、印刷処理の実行中にエラーが発生すると、無線通信を介して補聴器１４０ａ，１４０ｂに警告音の発生を要求し、ユーザにエラーを通知する。また、印刷装置１１０，１２０は、当該印刷装置が備えるスピーカから警告音を発生すると共に、警告ランプを点灯または点滅させることにより、ユーザにエラーを通知することができる。
【００１１】
情報処理装置１３０は、印刷装置１１０，１２０に印刷ジョブを送信して印刷処理を実行させる装置である。情報処理装置１３０は、エラーを通知する補聴器のユーザの名称および当該ユーザの識別情報（以下、「ユーザＩＤ」とする。）等の印刷装置情報を印刷装置１１０，１２０に要求し、これらの情報を印刷装置１１０，１２０から受信する。
【００１２】
補聴器１４０ａ，１４０ｂは、印刷装置１１０，１２０で発生したエラーをユーザに通知可能な補聴器である。補聴器１４０ａ，１４０ｂは、Ｂｌｕｅｔｏｏｔｈ（登録商標）等の無線通信機能を有しており、印刷装置１１０，１２０が無線通信を介して送信したエラー通知要求を受信すると、エラー通知音を再生する。
【００１３】
図１に示す印刷処理システムは、２つの印刷装置１１０，１２０を有するが、他の実施形態では、印刷処理システムは、１の印刷装置または３以上の印刷装置を有することができる。
【００１４】
図２は、情報処理装置１３０のハードウェア構成の一実施形態を示す図である。情報処理装置１３０は、ＣＰＵ２００と、ＲＡＭ２０１と、ＲＯＭ２０２と、ハードディスク装置（ＨＤＤ）２０３と、ネットワーク制御部２０４と、ネットワークインタフェース（Ｉ／Ｆ）２０５と、外部装置インタフェース（Ｉ／Ｆ）２０６とを備える。
【００１５】
ＣＰＵ２００は、本発明のプログラムを実行する演算処理装置である。ＲＡＭ２０１は、揮発性の記憶装置であり、ＣＰＵ２００にプログラムの実行空間を提供する。ＲＯＭ２０２は、不揮発性の記憶装置であり、ファームウェア等の種々のデータが記憶される。ＨＤＤ２０３は、不揮発性の記憶装置であり、ＯＳや本発明のプログラム等の種々のプログラムやデータが保存される。ＣＰＵ２００は、情報処理装置１３０が有するＯＳの管理下で本発明のプログラムをＨＤＤ２０３から読み出し、ＲＡＭ２０１に展開して実行することにより、後述する機能を情報処理装置１３０上で実現する。
【００１６】
ネットワーク制御部２０４は、ネットワーク１５０を介した通信を制御する手段である。ネットワークインタフェース（Ｉ／Ｆ）２０５は、ネットワーク１５０との接続を可能にするインタフェースである。外部装置インタフェース（Ｉ／Ｆ）２０６は、マウスやキーボード、表示装置等の種々の外部装置を接続可能なインタフェースである。
【００１７】
図３は、印刷装置１１０および補聴器１４０ａのハードウェア構成の一実施形態を示す図である。以下、印刷装置１１０および補聴器１４０ａのハードウェア構成について説明する。なお、印刷装置１２０のハードウェア構成は印刷装置１２０と同様であり、補聴器１４０ｂのハードウェア構成は補聴器１４０ａと同様であるため、説明を省略する。
【００１８】
印刷装置１１０は、制御部３００と、操作部３１０と、プリンタエンジン３１１と、無線通信部３１２とを備える。制御部３００は、印刷装置１１０全体の制御を行う手段であり、ＣＰＵ３０１と、システムメモリ３０２と、ノースブリッジ（ＮＢ）３０５と、サウスブリッジ（ＳＢ）３０６と、ＡＳＩＣ３０７と、ローカルメモリ３０８と、ＨＤＤ３０９とを備える。これらの装置は、図３に示すように通信バスを介して接続される。
【００１９】
ＣＰＵ３０１は、印刷装置１１０の全体制御を行う演算処理装置である。システムメモリ３０２は、ＣＰＵ３０１がアクセス可能な記憶装置であり、ＲＯＭ３０３と、ＲＡＭ３０４とを含む。ＲＯＭ３０３は、種々のデータを格納する揮発性の記憶装置である。ＲＡＭ３０４は、揮発性の記憶装置であり、ＣＰＵ３０１にプログラムの実行空間を提供する。
【００２０】
ＮＢ３０５は、システムメモリ３０２を制御する手段であり、ＣＰＵ３０１、システムメモリ３０２、ＳＢ３０６およびＡＳＩＣ３０７に接続される。ＳＢ３０６は、ＮＢ３０５と周辺デバイス（図示せず）とを接続するためのブリッジであり、ネットワーク１５０を介した通信を提供するネットワークインタフェース（図示せず）が接続される。
【００２１】
ＡＳＩＣ３０７は、印刷対象の画像の生成や編集を行うＩＣである。ローカルメモリ３０８は、ＡＳＩＣ３０７が実行する画像処理に使用される記憶装置である。ＨＤＤ３０９は、不揮発性の記憶装置であり、画像データやプログラム等の種々のデータが格納される。
【００２２】
操作部３１０は、印刷装置に対する各種設定を可能にする手段である。操作部３１０は、タッチパネルやボタン等の入力手段を備えており、ユーザが各種設定を行うことができる。操作部３１０は、印刷装置１１０と補聴器１４０ａ，１４０ｂの無線通信を確立するＧＵＩを表示することができ、ユーザは、当該ＧＵＩを介して印刷装置１１０と補聴器１４０ａ，１４０ｂのＢｌｕｅｔｏｏｔｈ（登録商標）によるペアリングを行うことができる。
【００２３】
プリンタエンジン３１１は、印刷処理を行う装置である。プリンタエンジン３１１は、ＡＳＩＣ３０７が生成した印刷対象の画像を印字媒体に印刷する。
【００２４】
無線通信部３１２は、補聴器１４０ａ，１４０ｂと無線によるデータ通信を行う手段である。無線通信部３１２は、エラー通知対象のユーザが使用する補聴器１４０ａ，１４０ｂに警告音の再生要求および警告音信号を送信する。
【００２５】
補聴器１４０ａは、プロセッサ３２０と、ＲＡＭ３２１と、ＲＯＭ３２２と、音声入力部３２３と、無線通信部３２４と、音声再生部３２５とを備える。プロセッサ３２０は、補聴器１４０ａの全体制御を行う演算処理装置である。ＲＡＭ３２１は、揮発性の記憶装置であり、プロセッサ３２０にプログラムの実行空間を提供する。ＲＯＭ３２２は、種々のデータを格納する揮発性の記憶装置である。
【００２６】
音声入力部３２３は、補聴器１４０ａの周囲の音を集音して入力される手段である。無線通信部３２４は、印刷装置１１０，１２０との間でＢｌｕｅｔｏｏｔｈ（登録商標）等の無線通信を行う手段である。
【００２７】
音声再生部３２５は、音声を再生する手段である。音声再生部３２５は、プロセッサ３２０が増幅した補聴器１４０ａの周囲の音を再生すると共に、印刷装置１１０，１２０が提供する警告信号に基づいて警告音を再生する。
【００２８】
図４は、情報処理装置１３０および印刷装置１１０の機能構成を示す図である。以下、図４を参照して、情報処理装置１３０および印刷装置１１０の機能構成について説明する。なお、印刷装置１２０の機能構成は、印刷装置１１０機能構成と同様のため説明を省略する。
【００２９】
情報処理装置１３０は、印刷装置１１０，１２０を制御して印刷処理を実行するプリンタドライバ４００を有する。プリンタドライバ４００は、制御部４０１と、装置情報受信部４０２と、表示制御部４０３と、設定情報保存部４０４と、印刷命令受信部４０５と、印刷ジョブ生成部４０６と、印刷ジョブ送信部４０７とを有する。
【００３０】
制御部４０１は、プリンタドライバ４００が実行する処理の全体的な制御を行う手段である。装置情報受信部４０２は、印刷装置１１０，１２０が提供する印刷装置情報を受信する手段である。
【００３１】
表示制御部４０３は、印刷設定画面を情報処理装置１３０の表示装置に表示させる手段である。表示制御部４０３は、図５に示すような印刷設定画面５００を表示装置に表示させる。
【００３２】
印刷設定画面５００には、警告の通知相手を指定するフィールド５１０と、警告音のパターンを指定するフィールド５２０とが含まれる。フィールド５１０では、印刷装置情報に含まれるユーザを全員指定し、または当該ユーザを個別に指定することができる。フィールド５１０の個別設定フィールド５１２には、印刷装置１１０，１２０が提供する印刷装置情報に含まれるユーザの名称が表示される。
【００３３】
フィールド５２０では、警告音が再生されるエラー内容と、当該エラー内容毎の警告音のパターンを指定することができる。図５に示す印刷設定画面５００では、トナー切れのエラーが発生した場合の警告音として、短音が連続して再生されるビープ音が指定され、用紙切れのエラーが発生した場合の警告音として、長音が連続して再生されるビープ音が指定されている。また、紙詰まりエラーが発生した場合の警告音として、長音と短音が交互に再生されるビープ音が指定され、その他のエラーが発生した場合の警告音として、長音が２回連続した後に単音が再生されるビープ音が指定されている。
【００３４】
情報処理装置１３０は、印刷設定画面５００で指定された情報、すなわち、通知相手が全員である旨の情報または通知相手が個別である旨の情報および指定されたユーザ名称と、エラー内容の識別情報と、当該エラー内容の識別情報に関連付けられた警告音パターンの識別情報とを、印刷設定情報の１種である異常通知設定情報として印刷装置１１０，１２０に送信する。
【００３５】
設定情報保存部４０４は、ユーザが印刷設定画面を介して設定した印刷設定に関する情報である印刷設定情報を情報処理装置１３０の記憶装置に保存する手段である。
【００３６】
印刷命令受信部４０５は、情報処理装置１３０が有するアプリケーション（図示せず）が提供する印刷命令を受信する手段である。
【００３７】
印刷ジョブ生成部４０６は、印刷設定画面で設定された印刷設定情報および印刷対象の画像データに基づいて、ＰＤＬで記述可能な印刷ジョブを生成する手段である。印刷設定情報は、印刷ジョブ毎に設定することができる。印刷ジョブ送信部４０７は、印刷設定情報が含まれる印刷ジョブを印刷装置１１０，１２０に送信する手段である。
【００３８】
印刷装置１１０は、制御部４１０と、印刷ジョブ受信部４１１と、画像形成部４１２と、エンジン制御部４１３と、エラー検出部４１４と、エラー通知制御部４１５と、表示制御部４１８とを有する。
【００３９】
制御部４１０は、印刷装置１１０が実行する処理の全体的な制御を行う手段である。印刷ジョブ受信部４１１は、情報処理装置１３０が送信した印刷ジョブを受信する手段である。
【００４０】
画像形成部４１２は、印刷ジョブ受信部４１１が受信した印刷ジョブを解析し、印刷対象の画像データを生成する手段である。エンジン制御部４１３は、プリンタエンジン３１１を制御して印刷処理を実行させる手段である。
【００４１】
エラー検出部４１４は、印刷処理に関するエラーを検出する手段である。エラー検出部４１４は、印刷ジョブに含まれる印刷設定情報に基づいて、印刷設定画面で指定された種類のエラーを検出する。エラー通知制御部４１５は、印刷装置１１０が行うエラー通知を制御する手段である。エラー通知制御部４１５は、エラー通知対象のユーザを特定するエラー対象特定部４１６と、当該エラー通知対象のユーザの補聴器１４０ａ，１４０ｂにエラー通知要求を送信する要求送信部４１７とを有する。表示制御部４１８は、印刷装置２１０の表示装置を制御する手段である。
【００４２】
図６は、印刷装置１１０が実行する処理の一実施形態を示すフローチャートである。以下、図６を参照して、印刷装置１１０が、印刷設定情報で指定されたユーザに対し、印刷ジョブに関する異常を通知する処理について説明する。
【００４３】
図６に示す処理は、印刷装置１１０が印刷ジョブを受信して印刷処理を開始した後にステップＳ６００から開始する。ステップＳ６０１では、エラー検出部４１４が、印刷ジョブに付加された異常通知設定情報に含まれるエラー内容の識別情報が示すエラーが発生したか否か判断する。エラーが発生していない場合（ｎｏ）、ステップＳ６０８に処理が分岐して終了する。一方、エラーが発生した場合（ｙｅｓ）、ステップＳ６０２に処理が分岐する。
【００４４】
ステップＳ６０２では、エラー通知制御部４１５が、異常通知設定情報が印刷ジョブに含まれるか否か判断することにより、当該印刷ジョブに異常通知が設定されているか否か判断する。印刷ジョブに異常通知が設定されていない場合（ｎｏ）、ステップＳ６０５に処理が分岐する。一方、印刷ジョブに異常通知が設定されている場合（ｙｅｓ）、ステップＳ６０３に処理が分岐する。
【００４５】
ステップＳ６０３では、エラー通知制御部４１５は、異常通知設定情報および図７に示すようなデータテーブル（以下、「通知相手テーブル」とする。）に基づいてエラー通知対象のユーザを特定し、当該ユーザの補聴器の識別情報（以下、「補聴器ＩＤ」とする。）を取得する。図７に示す通知相手テーブルには、補聴器を使用するユーザの名称と、印刷装置１１０と無線通信が確立された補聴器の補聴器ＩＤが関連付けて登録される。
【００４６】
より詳細には、エラー通知制御部４１５は、異常通知設定情報に含まれる通知相手を示す情報を参照し、通知相手が全員である場合は、通知相手テーブルに登録されている総てのユーザをエラー通知対象のユーザとして特定し、エラー通知対象のユーザの補聴器ＩＤを通知相手テーブルから取得する。一方、通知相手が個別に指定されている場合、エラー通知制御部４１５は、当該個別に指定されているユーザをエラー通知対象のユーザとして特定し、通知相手テーブルを参照し、エラー通知対象のユーザに関連付けられている補聴器の補聴器ＩＤを取得する。
【００４７】
ステップＳ６０４では、エラー通知制御部４１５は、異常通知設定情報に含まれる警告音識別情報に応じた警告音信号を印刷装置１１０の記憶装置から取得する。ステップＳ６０５では、エラー通知制御部４１５は、当該補聴器ＩＤで識別される補聴器にエラー通知要求と共に警告音信号を送信する。そして、エラー通知要求を受信した補聴器は、エラー通知要求と共に受信した警告音信号を再生する。
【００４８】
本実施形態では、エラー通知制御部４１５は、エラー通知要求と共に警告音信号を送信するが、他の実施形態では、警告音信号の代わりに警告音信号の識別情報を送信し、補聴器１４０ａ，１４０ｂが、当該補聴器の記憶装置に保存されている警告音信号の中からエラー通知制御部４１５が送信した警告音信号の識別情報によって識別される警告音信号を再生するようにしてもよい。
【００４９】
ステップＳ６０５では、エラー通知制御部４１５は、印刷装置１１０のスピーカから警告音を出力する。ステップＳ６０７では、エラー通知制御部４１５は、印刷装置１１０の警告ランプを点滅させ、ステップＳ６０８で処理が終了する。
【００５０】
図８は、印刷装置１１０が実行する処理の別の実施形態を示すフローチャートである。本実施形態の異常通知設定情報には、印刷処理の実行を指示したユーザのユーザＩＤが含まれている。以下、図８を参照して、印刷装置１１０が、印刷処理の実行を指示したユーザに対し、印刷ジョブに関する異常を通知する処理について説明する。
【００５１】
図８に示す処理は、印刷装置１１０が印刷ジョブを受信して印刷処理を開始した後にステップＳ８００から開始する。ステップＳ８０１では、エラー検出部４１４が、印刷ジョブに付加された異常通知設定情報に含まれるエラー内容の識別情報が示すエラーが発生したか否か判断する。エラーが発生していない場合（ｎｏ）、ステップＳ８０８に処理が分岐して終了する。一方、エラーが発生した場合（ｙｅｓ）、ステップＳ８０２に処理が分岐する。
【００５２】
ステップＳ８０２では、エラー通知制御部４１５が、図９に示すような通知相手テーブルと異常通知設定情報に基づいて、印刷処理の実行を指示したユーザが補聴器を使用するユーザであるか否か判断する。
【００５３】
より詳細には、エラー通知制御部４１５は、補聴器を使用するユーザの名称と、印刷装置１１０と無線通信が確立された補聴器の補聴器ＩＤと、ユーザＩＤが関連付けられた図９に示すような通知相手テーブルを参照し、異常通知設定情報に含まれる印刷処理の実行を指示したユーザのユーザＩＤに補聴器ＩＤが関連付けられているか否か判断する。
【００５４】
印刷処理の実行を指示したユーザのユーザＩＤに補聴器ＩＤが関連付けられている場合、エラー通知制御部４１５は、印刷処理の実行を指示したユーザが補聴器を使用するユーザであると判断し（ｙｅｓ）、ステップＳ８０３に処理が分岐する。一方、印刷処理の実行を指示したユーザのユーザＩＤに補聴器ＩＤが関連付けられていない場合、エラー通知制御部４１５は、印刷処理の実行を指示したユーザが補聴器を使用するユーザでないと判断し（ｎｏ）、ステップＳ８０６に処理が分岐する。
【００５５】
ステップＳ８０３では、エラー通知制御部４１５は、異常通知設定情報に基づいて印刷処理の実行を指示したユーザをエラー通知対象のユーザとして特定し、エラー通知対象のユーザが使用する補聴器の補聴器ＩＤを取得する。より詳細には、エラー通知制御部４１５は、異常通知設定情報から印刷処理の実行を指示したユーザのユーザＩＤを取得し、図９に示すような通知相手テーブルを参照し、当該ユーザＩＤに関連付けられている補聴器ＩＤを取得する。
【００５６】
ステップＳ８０４では、エラー通知制御部４１５は、異常通知設定情報に含まれる警告音識別情報に応じた警告音信号を印刷装置１１０の記憶装置から取得する。ステップＳ８０５では、エラー通知制御部４１５は、当該補聴器ＩＤで識別される補聴器にエラー通知要求と共に警告音信号を送信する。
【００５７】
ステップＳ８０６では、エラー通知制御部４１５は、印刷装置１１０のスピーカから警告音を出力する。ステップＳ８０７では、エラー通知制御部４１５は、印刷装置１１０の警告ランプを点滅させ、ステップＳ８０８で処理が終了する。
【００５８】
これまで本発明の実施形態について説明してきたが、本発明は、上述した実施形態に限定されるものではなく、上述した実施形態の構成要素を変更若しくは削除し、または他の構成要素を当該実施形態に追加するなど、当業者が想到することができる範囲内で変更することができる。いずれの態様においても本発明の作用効果を奏する限り、本発明の範囲に含まれるものである。
【符号の説明】
【００５９】
１００…印刷処理システム、１１０，１２０…印刷装置、１３０…情報処理装置、１４０ａ，１４０ｂ…補聴器、１５０…ネットワーク
【先行技術文献】
【特許文献】
【００６０】
【特許文献１】特開平１１−１１９６００号公報
【図１】
2016159546.tif 000003
【図２】
2016159546.tif 000004
【図３】
2016159546.tif 000005
【図４】
2016159546.tif 000006
【図５】
2016159546.tif 000007
【図６】
2016159546.tif 000008
【図７】
2016159546.tif 000009
【図８】
2016159546.tif 000010
【図９】
2016159546.tif 000011